(57)【特許請求の範囲】
【請求項１】
被加熱体と対向して配置された加熱コイルと、商用電源の整流後に接続され、スイッチング素子のオン・オフによって力率を改善するアクティブフィルタと、前記アクティブフィルタの出力に接続され、前記スイッチング素子のオン・オフによって前記加熱コイルに高周波電流を発生させるインバータ回路と、前記インバータ回路と前記アクティブフィルタとを駆動制御する制御手段と、前記アクティブフィルタが起動完了したことを検出するアクティブフィルタ起動完了判定手段とを備え、前記制御手段が、前記加熱コイルによる前記被加熱体への加熱を開始する際、前記インバータ回路を起動し、前記インバータ回路の起動完了後に前記アクティブフィルタを起動するとともに、前記アクティブフィルタ起動完了判定手段により前記アクティブフィルタが起動完了したことを検知する誘導加熱装置。
【請求項２】
前記アクティブフィルタ起動完了判定手段は、前記アクティブフィルタが起動開始してから所定時間以上経過したことを検知すると前記アクティブフィルタは起動完了したと判定し、前記インバータ回路の出力電力を増加させる請求項１に記載の誘導加熱装置。
【請求項３】
前記アクティブフィルタ起動完了判定手段は、前記アクティブフィルタが起動開始してから前記アクティブフィルタの出力電圧が略所定値または前記所定値以上となったことを検知すると前記アクティブフィルタは起動完了したと判定し、前記インバータ回路の出力電力を増加させる請求項１に記載の誘導加熱装置。
【請求項４】
前記アクティブフィルタ起動完了判定手段は、前記アクティブフィルタが起動開始してから前記アクティブフィルタの入力電流が略所定値または前記所定値以上となったことを検知すると前記アクティブフィルタは起動完了したと判定し、前記インバータ回路の出力電力を増加させる請求項１に記載の誘導加熱装置。
【請求項５】
前記アクティブフィルタ起動完了判定手段は、前記アクティブフィルタが起動開始してから前記アクティブフィルタの前記スイッチング素子のオン時間が前記商用電源の１周期前におけるオン時間と比べて略所定値または所定の変動幅以下となったことを検知すると、前記アクティブフィルタは起動完了したと判定し、前記インバータ回路の出力電力を増加
させる請求項１に記載の誘導加熱装置。
【発明の詳細な説明】
【技術分野】
【０００１】
本発明は、誘導加熱調理器などの誘導加熱装置に関するものである。
【背景技術】
【０００２】
従来、誘導加熱装置では、加熱コイルを介して負荷に高周波電力を供給する方法として昇圧回路を用いた制御技術が知られている（例えば、特許文献１参照）。また、誘導加熱装置にアクティブフィルタを内蔵して、高調波電流抑制を行う技術も知られている（例えば、特許文献２参照）。
【特許文献１】特開２００３−２５７６０９号公報
【特許文献２】特開平１−２４６７８３号公報
【発明の開示】
【発明が解決しようとする課題】
【０００３】
しかしながら、前記従来の技術を用いた誘導加熱装置において、加熱開始時にアクティブフィルタおよびインバータ回路を同時に起動・ソフトスタートすると、アクティブフィルタからみたインバータ回路の負荷インピーダンスが急峻に変動することになり、アクティブフィルタの出力電圧がオーバーシュートしてしまい、部品の耐圧破壊が発生してしまうことや、アクティブフィルタが出力電圧を安定化させるために必要以上に時間がかかるという課題を有していた。
【０００４】
本発明は、前記従来の課題を解決するもので、加熱開始時においてもアクティブフィルタの出力電圧を過昇圧することなく、インバータ回路の出力電力を所定値まで増加させることが可能な誘導加熱装置を提供することを目的とする。
【課題を解決するための手段】
【０００５】
前記従来の課題を解決するために、本発明の誘導加熱装置は、加熱開始時にアクティブフィルタからみたインバータ回路の負荷インピーダンスが安定となるようにインバータ回路を駆動制御するとともに、アクティブフィルタが起動完了したことをアクティブフィルタ起動完了判定手段により検知できるようにしたものである。
【０００６】
これにより、アクティブフィルタが確実に起動完了してからインバータ回路の出力電力を所定値まで増加が可能となり、アクティブフィルタの出力電圧のオーバーシュートが抑制可能となる。
【発明の効果】
【０００７】
本発明の誘導加熱装置は、アクティブフィルタが確実に起動完了してからインバータ回路の出力電力を所定値まで増加が可能となり、アクティブフィルタの出力電圧のオーバーシュートが抑制可能となる。
【発明を実施するための最良の形態】
【０００８】
第１の発明は、被加熱体と対向して配置された加熱コイルと、商用電源の整流後に接続
され、スイッチング素子のオン・オフによって力率を改善するアクティブフィルタと、アクティブフィルタの出力に接続され、スイッチング素子のオン・オフによって加熱コイルに高周波電流を発生させるインバータ回路と、インバータ回路とアクティブフィルタとを駆動制御する制御手段と、アクティブフィルタが起動完了したことを検出するアクティブフィルタ起動完了判定手段とを備え、制御手段が、加熱コイルによる被加熱体への加熱を開始する際、インバータ回路を起動し、インバータ回路の起動完了後にアクティブフィルタを起動するとともに、アクティブフィルタ起動完了判定手段によりアクティブフィルタが起動完了したことを検知することにより、アクティブフィルタが確実に起動完了してからインバータ回路の出力電力を所定値まで増加が可能となり、アクティブフィルタの出力電圧のオーバーシュートが抑制可能となる。
【０００９】
第２の発明は、特に、第１の発明において、アクティブフィルタ起動完了判定手段は、アクティブフィルタが起動開始してから所定時間以上経過したことを検知するとアクティブフィルタは起動完了したと判定し、インバータ回路の出力電力を増加させることにより、アクティブフィルタの出力電圧の過昇圧を抑制可能となり、安全にインバータ回路の出力電力を所定値まで増加させることが可能となる。
【００１０】
第３の発明は、特に、第１の発明において、アクティブフィルタ起動完了判定手段は、アクティブフィルタが起動開始してからアクティブフィルタの出力電圧が略所定値または所定値以上まで昇圧されたことを検知するとアクティブフィルタは起動完了したと判定し、インバータ回路の出力電力を増加させることにより、第２の発明と同様、アクティブフィルタの出力電圧の過昇圧を抑制可能となり、安全にインバータ回路の出力電力を所定値まで増加させることが可能となる。
【００１１】
第４の発明は、特に、第１の発明において、アクティブフィルタ起動完了判定手段は、アクティブフィルタが起動開始してからアクティブフィルタの入力電流が略所定値または所定値以上まで昇圧されたことを検知するとアクティブフィルタは起動完了したと判定し、インバータ回路の出力電力を増加させることにより、第２の発明と同様、アクティブフィルタの出力電圧の過昇圧を抑制可能となり、安全にインバータ回路の出力電力を所定値まで増加させることが可能となる。
【００１２】
第５の発明は、特に、第１の発明において、アクティブフィルタ起動完了判定手段は、アクティブフィルタが起動開始してからアクティブフィルタのスイッチング素子のオン時間が商用電源の１周期前におけるオン時間と比べて略所定値または所定の変動幅以下であることを検知すると、アクティブフィルタは起動完了したと判定し、インバータ回路の出力電力を増加させることにより、第２の発明と同様、アクティブフィルタの出力電圧の過昇圧を抑制可能となり、安全にインバータ回路の出力電力を所定値まで増加させることが可能となる。
【００１３】
以下、本発明の実施の形態について、図面を参照しながら説明する。なお、この実施の形態によって本発明が限定されるものではない。
【００１４】
（実施の形態）
図１は、本発明の実施の形態における誘導加熱装置を示すものである。
【００１５】
図１において、商用電源１は、低周波交流電源である２００Ｖ商用電源であり、ブリッジダイオードと入力フィルタを含む整流回路２の入力端に接続される。整流回路２のカソード側の出力端に力率改善用に用いられるチョークコイル３が接続される。また、チョークコイル３と整流回路２のアノード側の出力端間にスイッチング素子４が接続される。さらに、ダイオード５はスイッチング素子４の高電位側端子（コレクタ）に接続するように
配置される。ダイオード５のカソード側端子とスイッチング素子４の低電位側端子（エミッタ）間に平滑コンデンサ６が接続され、平滑コンデンサ６には入力電圧を任意の電圧に昇圧した電圧が供給される。チョークコイル３、スイッチング素子４、ダイオード５、平滑コンデンサ６はアクティブフィルタ７を構成する。ただし、本実施の形態においてアクティブフィルタ７を高周波動作させるためスイッチング速度の速いＭＯＳＦＥＴを使用しているが、ＭＯＳＦＥＴに付帯する逆方向ダイオードは無くても動作に何ら影響を与えないため、図には記載していない。
【００１６】
平滑コンデンサ６の高電位側出力端間にはチョークコイル８が接続される。チョークコイル８の出力端と平滑コンデンサ６の低電位側端子間にスナバコンデンサ９とダイオード（逆導通素子）１０とスイッチング素子１１の並列接続体が接続される。また、スイッチング素子１１の高電位側端子（コレクタ）にダイオード（逆導通素子）１２が接続するように配置される。さらに、ダイオード１２のカソード側端子とスイッチング素子１１の低電位側端子（エミッタ）間に平滑コンデンサ１３が接続される。平滑コンデンサ６、チョークコイル８、スナバコンデンサ９、ダイオード１０、スイッチング素子１１、ダイオード１２、平滑コンデンサ１３は昇圧回路１４を構成する。平滑コンデンサ１３は、平滑コンデンサ６の電圧を昇圧した電圧をインバータ回路１５に供給するものである。
【００１７】
インバータ回路１５は昇圧回路１４の出力端、つまり、平滑コンデンサ１３の両端に接続される。平滑コンデンサ１３の両端にはスイッチング素子１６および１７を直列接続したものが接続される。スイッチング素子１６および１７にはそれぞれダイオード（逆導通素子）１８、１９が逆並列に（スイッチング素子の高電位側端子（コレクタ）とダイオードのカソードが接続されるように）接続される。また、スイッチング素子１７（スイッチング素子１６であってもよい）に並列にスナバコンデンサ２０が接続される。さらに、スイッチング素子１７（スイッチング素子１６であってもよい）に並列に加熱コイル２１と共振コンデンサ２２の直列接続体が接続される。加熱コイル２１は被加熱体である鍋などの負荷２３と対向して配置されている。
【００１８】
図１に示す誘導加熱装置は、カレントトランス（出力検知手段）４０より入力電流を検知する電流検知部２４と、使用者が操作部３９を操作するとその操作内容よりマイコン２６が設定する火力設定に応じた電流参照値を出力する基準電流設定部２５から出力された信号がマイクロコンピュータ２６（以下マイコン）によって比較され、マイコン２６からは所定の入力が得られるよう可変導通比設定部２７に信号が出力される。可変導通比設定部２７では、マイコン２６により設定された駆動周波数で、スイッチング素子１６および１７の導通比を設定し、スイッチング素子１６とスイッチング素子１７を排他的に導通制御する。インバータ回路制御手段２８は、これらの電流検知部２４、基準電流設定部２５、マイコン２６、可変導通比設定部２７を内包する。
【００１９】
また、インバータ回路１５の入力電圧となる平滑コンデンサ１３の電圧を検知する電圧検知部２９から出力された信号は、マイコン２６によって基準電圧設定部３０と比較され、マイコン２６からは所定の平滑コンデンサ１３の電圧が得られるよう可変導通比設定部３１に信号が出力される。可変導通比設定部３１では、マイコン２６により設定された駆動周波数で、スイッチング素子１１の導通比を設定し、スイッチング素子１１の導通制御を行う。昇圧回路制御手段３２は、これらのマイコン２６、電圧検知部２９、基準電圧設定部３０、可変導通比設定部３１を内包し、マイコン２６をインバータ回路制御手段２８と共有し、回路および制御の簡素化を可能にする。
【００２０】
また、アクティブフィルタ７のスイッチング素子４の駆動を制御するアクティブフィルタ制御手段３３は、誘導加熱装置の入力電流をカレントトランス４０により検知する入力電流検知部３４を備え、前記入力電流検知部３４の出力と参照正弦波検知部３５の出力を
アクティブフィルタ駆動制御用ＩＣ３６で比較し、アクティブフィルタ駆動制御用ＩＣ３６からは導通比設定部３７に信号が出力され、導通比設定部３７では参照正弦波電圧波形と同等の入力電流波形が得られるよう発振部３８により設定される駆動周波数でスイッチング素子４の導通比を設定し、スイッチング素子４の導通制御を行う。さらに、アクティブフィルタ駆動制御用ＩＣ３６はインバータ回路制御手段２８および昇圧回路制御手段３２に内包されるマイコン２６との通信ポートを有しており、マイコン２６が任意のタイミングでアクティブフィルタ駆動制御用ＩＣ３６の駆動・停止タイミングを制御することが可能である。アクティブフィルタ制御手段３３は、これらの入力電流検知部３４、参照正弦波検知部３５、アクティブフィルタ駆動制御用ＩＣ３６、導通比設定部３７、発振部３８を内包する。ただし、アクティブフィルタ駆動制御用ＩＣ３６はマイコン２６からの動作許可信号がない場合はいかなる時も動作しないように設定されており、マイコン２６によりアクティブフィルタ７の駆動・停止タイミングを制御することが可能である。
【００２１】
図１に示す誘導加熱装置は操作部３９を有しており、操作部３９は使用者の操作内容をマイコン２６に送信する。マイコン２６は操作部３９からの受信内容に基づいて、加熱開始、火力調整、加熱停止を行う。
【００２２】
以上のように構成された誘導加熱装置において、以下に動作を説明する。
【００２３】
商用電源１は整流回路２により全波整流され、アクティブフィルタ７に供給される。アクティブフィルタ７は商用電源１が平滑コンデンサ６の電圧よりも小さい場合にアクティブフィルタ７に含まれるダイオード５および整流回路２のブリッジダイオードがターンオンできずに入力電流波形が歪み、力率が著しく低くなる際に、アクティブフィルタ制御手段３３においては、アクティブフィルタ駆動用ＩＣ３６により電流検知部３４により検知する電流波形が参照正弦波検知部３５の検知波形と等しくなり、かつ電圧検知手段４２によりアクティブフィルタ７の出力電圧である平滑コンデンサ６を検知し、平滑コンデンサ６の電圧が目標電圧となるように可変導通比設定部３７に信号を出力し、可変導通比設定部３７は前記信号に基づいてスイッチング素子４のオン・オフ信号を出力する。
【００２４】
スイッチング素子４をターンオン・オフさせることで、商用電源１からチョークコイル３を介して入力電流が流れるようになり、商用電源１側に歪んだ入力電流を流さないようにするものである。また、第１のスイッチング素子４がターンオンしている状態では商用電源１からチョークコイル３にエネルギーが蓄えられており、その後、可変導通比設定部３７で設定された導通時間が経過するとスイッチング素子４がターンオフし、チョークコイル３に蓄えられたエネルギーがダイオード５を介して、平滑コンデンサ６に供給されるため、平滑コンデンサ６の電圧は商用電源１より高い電圧に昇圧され、平滑コンデンサ１３を介してインバータ回路１５に供給される。図３にアクティブフィルタ７の１周期の動作波形を示す。
【００２５】
また、アクティブフィルタ駆動制御用ＩＣ３６はマイコン２６が送信する動作許可信号を受信しないと動作しないように設計されている。これによりマイコン２６が任意のタイミングでアクティブフィルタ７を駆動・停止させることが可能となる。
【００２６】
商用電源１の電圧は、アクティブフィルタ７によって図２（ｂ）に示すように昇圧され平滑コンデンサ６に出力される。
【００２７】
昇圧回路１４はスイッチング素子１１がターンオンしている期間中にチョークコイル８にエネルギーを蓄え、スイッチング素子１１がターンオフすると、チョークコイル８に蓄えられたエネルギーがダイオード１２を介して平滑コンデンサ１３を充電することで昇圧動作をするものである。本実施の形態では、スイッチング素子１１の動作周波数および導
通時間を可変として、平滑コンデンサ１３の電圧を調整している。また、スイッチング素子１１はダイオード１２とスナバコンデンサ９が並列に接続されているため、スイッチング素子１１をオフする時、スナバコンデンサ９が傾きをもって充電開始し、スイッチング素子１１はＺＶＳターンオフ動作を実現する。
【００２８】
スイッチング素子１１がオフしている期間中にスナバコンデンサ９は平滑コンデンサ６と同じ電圧になると平滑コンデンサ６と同等の電圧に固定され、その後、平滑コンデンサ６の電圧がスナバコンデンサ９より高い電圧になると、スナバコンデンサ９は放電を開始し、スナバコンデンサ９が放電完了すると、ダイオード１０がオンする。
【００２９】
本実施の形態では、スナバコンデンサ９の放電完了後、所定時間内にスイッチング素子１１がターンオンする連続駆動モードとしているが、スナバコンデンサ９が放電完了してから所定時間以上経過してから、スイッチング素子１１をターンオンしても問題ない。また、スナバコンデンサ９が放電完了する前にスイッチング素子１１をターンオンしても動作可能であるが、その場合、チョークコイル８に流れていた電流が急激にスイッチング素子１１に流れ込むため損失が増加してしまうことになり、本実施の形態では、スナバコンデンサ９が放電完了後、所定時間内にスイッチング素子１１がターンオンさせる。
【００３０】
以上が図１に示した昇圧回路１４の動作である。アクティブフィルタ７の出力にあたる平滑コンデンサ６が、昇圧回路１４によって図２（ｄ）に示すように昇圧され平滑コンデンサ１３に出力される。平滑コンデンサ１３の電圧値は使用者が操作部３９に設定した電力が被加熱物体に入力されるように調整される。図４に昇圧回路１４の１周期の動作波形を示す。
【００３１】
昇圧回路１４によって昇圧された平滑コンデンサ１３の電圧は、インバータ回路１５に供給される。インバータ回路１５はスイッチング素子１６および１７のオン・オフによって加熱コイル２１に図２（ｅ）に示すように所定の周波数の高周波電流を発生させる。スイッチング素子１６がオンしている状態からオフすると、スナバコンデンサ２０が傾きをもって放電するため、スイッチング素子１６はＺＶＳターンオフ動作を実現する。スナバコンデンサ２０が放電しきると、ダイオード１９がオンし、ダイオード１９がオンしている期間中にスイッチング素子１７のゲートにオン信号を加えると、ダイオード１９がターンオフしてスイッチング素子１７に電流が転流し、スイッチング素子１７はＺＶＳ＆ＺＣＳターンオフ動作を実現する。スイッチング素子１７がオンしている状態からオフすると、スナバコンデンサ２０は傾きをもって充電するため、スイッチング素子１７はＺＶＳターンオフ動作を実現する。前記スナバコンデンサ２０が、平滑コンデンサ１３と同じ電圧まで充電されるとダイオード１８がオンし、ダイオード１８がオンしている期間中にスイッチング素子１６のゲートにオン信号を加えると、ダイオード１８がターンオフしてスイッチング素子１６に電流が転流し、スイッチング素子１６はＺＶＳ＆ＺＣＳターンオン動作を実現する。以上が図１に示したインバータ回路１５の動作である。図５にインバータ回路１５の１周期の動作波形を示す。
【００３２】
本実施の形態では、スイッチング素子１６および１７は平滑コンデンサ１３を短絡しないようにデッドタイム約２μｓの間隔を設けて、交互にオン・オフさせている。また、本実施の形態においては、スイッチング素子１６および１７の駆動周波数および導通時間を可変することで高周波電力の制御を行っている。
【００３３】
図１に記載の誘導加熱装置においては、使用者により被加熱体に様々な材質の負荷２３（鍋、フライパンなど）が用いられるため、アクティブフィルタ７からみたインバータ回路１５の負荷インピーダンスは多種多様である。つまり、加熱開始時にアクティブフィルタ７とインバータ回路１５を同時に起動・ソフトスタートさせた際に、インバータ回路１
５の動作周波数およびオン時間を所定の値で変化させた時においてインバータ回路１５の負荷インピーダンスの変動量は負荷２３（鍋やフライパンなど）の材質や構造により多種多様となるため、アクティブフィルタ７の制御量とインバータ回路１５の制御量のベストマッチングは一意的には決定できない。そのため、アクティブフィルタ７とインバータ回路１５を同時起動・ソフトスタートさせるとアクティブフィルタ７の制御量とアクティブフィルタ７からみたインバータ回路１５の負荷インピーダンスの変動量がミスマッチングとなった場合、アクティブフィルタ７の出力電圧（平滑コンデンサ６の電圧）がオーバーシュートして部品（平滑コンデンサ６や、スイッチング素子４など）の耐圧破壊が発生することになる。
【００３４】
本実施の形態では、加熱開始時にアクティブフィルタ７からみたインバータ回路１５の負荷インピーダンスが安定となるようにインバータ回路１５を駆動制御した状態でアクティブフィルタ７を起動した後、アクティブフィルタ７が起動完了したことをアクティブフィルタ起動完了判定手段により検知できるようにし、アクティブフィルタ７が起動完了後にインバータ回路１５の出力電力を所定値まで増加することにより、アクティブフィルタ７がアクティブフィルタ７からみたインバータ回路１５の負荷インピーダンスの変動量が抑制された状態で確実に起動完了した後にインバータ回路１５の出力電力を所定値まで増加させることが可能となる。このため、アクティブフィルタ７が出力電圧（平滑コンデンサ６の電圧）を過昇圧することなく安全に図１の誘導加熱装置の出力電力を所定値まで増加させることが可能となる。アクティブフィルタ起動完了判定手段は以下の通りである。図１の誘導加熱装置は下記方法のうち少なくとも１つ以上を用いてアクティブフィルタ７の起動完了を検知するものである。
【００３５】
（１）アクティブフィルタ７が起動開始してから所定時間経過したことをマイコン２６が検知すると、アクティブフィルタ７は起動完了したと判定する。
【００３６】
（２）アクティブフィルタ７が起動中は昇圧回路１４を停止しているため、平滑コンデンサ６と平滑コンデンサ１３の電圧が同等となる。このため、アクティブフィルタ７の出力電圧となる平滑コンデンサ６または平滑コンデンサ１３の少なくともいずれか一方の電圧を電圧検知手段４２または２９を用いて検出して、検出結果が略所定値または所定値以上となれば、アクティブフィルタ７は起動完了したと判定する。
【００３７】
（３）アクティブフィルタ７が起動開始してから入力電流を、カレントトランス４０を用いて検出し、検出結果が略所定値または所定値以上となれば、アクティブフィルタ７は起動完了したと判定する。
【００３８】
（４）アクティブフィルタ７が起動開始してから、スイッチング素子４のオン時間が商用電源１の１周期前におけるオン時間と比較して略所定値または所定の変動幅以下となったことをアクティブフィルタ駆動制御用ＩＣ３６がマイコン２６に送信し、マイコン２６がその内容を受信すると、アクティブフィルタ７は起動完了したと判定する。
【００３９】
図１に示す誘導加熱装置において、ホーロー鍋を加熱した際にスイッチング素子１６および１７のオン時間を３μｓ固定、動作周波数を略２３ｋＨｚ固定で起動させて際に、アクティブフィルタ７が起動開始してから７００ｍｓ経過したことをマイコン２６が検知すると、マイコン２６はアクティブフィルタ７が起動完了していると判定し、インバータ回路１５の出力電力を増加させた場合の波形を図６に示す。図６より、アクティブフィルタ７の起動開始から所定の時間が経過するとアクティブフィルタ７の出力である平滑コンデンサ６の電圧が安定化していることが分かる。本実施の形態では、７００ｍｓ固定としているが、アクティブフィルタ７が起動開始してからインバータ回路１５の出力電力を増加するまでの所定時間は任意に決定することができるのは言うまでもない。
【００４０】
以上のように、本実施の形態においては、加熱開始時にアクティブフィルタ７が起動完了後にインバータ回路１５の出力電力を所定値まで増加することにより、アクティブフィルタ７の出力電圧となる平滑コンデンサ６の電圧を過昇圧することなく安全に図１の誘導加熱装置の出力電力を所定値まで増加させることが可能となる。
【産業上の利用可能性】
【００４１】
以上のように、本発明にかかる誘導加熱装置は、アクティブフィルタが確実に起動完了してからインバータ回路の出力電力を所定値まで増加が可能となり、アクティブフィルタの出力電圧のオーバーシュートが抑制可能となるので、誘導加熱調理器としてはもちろんのこと、誘導加熱式コピーローラー、誘導加熱式溶解炉、誘導加熱式ジャー炊飯、またはその他の誘導加熱式加熱装置としても有用である。
【図面の簡単な説明】
【００４２】
【図１】本発明の実施の形態における誘導加熱装置の回路図
【図２】同誘導加熱装置の各部における電圧・電流の波形図
【図３】同誘導加熱装置のアクティブフィルタにおける電圧・電流の波形図
【図４】同誘導加熱装置の昇圧回路における電圧・電流の波形図
【図５】同誘導加熱装置のインバータ回路における電圧・電流の波形図
【図６】同誘導加熱装置におけるホーロー鍋の加熱開始時の波形図
【符号の説明】
【００４３】
１  商用電源
７  アクティブフィルタ
１４  昇圧回路
１５  インバータ回路
２１  加熱コイル
２３  負荷
２８  インバータ回路制御手段
３２  昇圧回路制御手段
３３  アクティブフィルタ制御手段
４０  カレントトランス（出力検知手段）
【図１】
0004797542.tif 000002
【図２】
0004797542.tif 000003
【図３】
0004797542.tif 000004
【図４】
0004797542.tif 000005
【図５】
0004797542.tif 000006
【図６】
0004797542.tif 000007